【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
結像された被写体像の光電変換を行う撮像素子と、
前記撮像素子を用いて得られた画像を表示する画像表示手段と、
ファインダ光学系と、
被写体からの光束を前記ファインダ光学系に導く第１の位置および被写体からの光束を前記撮像素子に向かわせる第２の位置に移動可能な光路切換部材と、
前記撮像素子の露光量を制御するシャッタと、
前記光路切換部材が前記第２の位置に配置されている際に閉じた状態の前記シャッタで反射された被写体からの光束を受光する第１の受光手段と、
前記光路切換部材が前記第１の位置に配置されている際に被写体からの光束を受光する第２の受光手段と、
前記光路切換部材を前記第２の位置に配置した状態で前記シャッタを開くことにより前記撮像素子に結像された被写体像の画像を前記画像表示手段に逐次表示させるとともに、被写体を照明するフラッシュユニットの発光を制御する制御手段とを有し、
前記制御手段は、前記画像表示手段に前記被写体像の画像を逐次表示している状態において前記フラッシュユニットを発光させるフラッシュ撮影を行う場合、開いた状態であった前記シャッタを前記フラッシュ撮影の前に閉じた状態にし、前記シャッタを閉じた状態での前記第１の受光手段からの出力に基づいて前記フラッシュユニットの発光量を設定することを特徴とする撮像装置。
【請求項２】
結像された被写体像の光電変換を行う撮像素子と、
前記撮像素子を用いて得られた画像を表示する画像表示手段と、
ファインダ光学系と、
被写体からの光束を前記ファインダ光学系に導く第１の位置および被写体からの光束を前記撮像素子に向かわせる第２の位置に移動可能な光路切換部材と、
被写体から前記撮像素子への光路上に配置され、透過率を第１の透過率と前記第１の透過率よりも低い透過率である第２の透過率とで切換可能な光学電気素子と、
前記光路切換部材が前記第２の位置に配置されている際に前記第２の透過率にした状態の前記光学電気素子で反射された被写体からの光束を受光する第１の受光手段と、
前記光路切換部材が前記第１の位置に配置されている際に被写体からの光束を受光する第２の受光手段と、
前記光路切換部材を前記第２の位置に配置した状態で前記光学電気素子を前記第１の透過率にすることにより前記撮像素子に結像された被写体像の画像を前記画像表示手段に逐次表示させるとともに、被写体を照明するフラッシュユニットの発光を制御する制御手段とを有し、
前記制御手段は、前記画像表示手段に前記撮像素子に結像された被写体像の画像を逐次表示している状態において前記フラッシュユニットを発光させるフラッシュ撮影を行う場合、前記第１の透過率であった前記光学電気素子を前記フラッシュ撮影の前に前記第２の透過率にし、前記光学電気素子を前記第２の透過率にした状態での前記第１の受光手段からの出力に基づいて前記フラッシュユニットの発光量を設定することを特徴とする撮像装置。
【請求項３】
前記制御手段は、前記フラッシュ撮影時に前記フラッシュユニットをプリ発光と本発光の二度発光させ、前記プリ発光時における前記第１の受光手段からの出力に基づいて、前記本発光時の発光量を設定することを特徴とする請求項１又は２に記載の撮像装置。
【請求項４】
前記光路切換部材を前記第１の位置に配置した状態において前記フラッシュ撮影を行う場合、前記第２の受光手段からの出力に基づいて前記フラッシュユニットの発光量を設定することを特徴とする請求項１から３のいずれか１項に記載の撮像装置。
【請求項５】
前記フラッシュユニットの着脱が可能であることを特徴とする請求項１から４のいずれか１項に記載の撮像装置。
【手続補正２】
【補正対象書類名】明細書
【補正対象項目名】０００５
【補正方法】変更
【補正の内容】
【０００５】
８３０はカメラボディ８０１に着脱可能な外付けフラッシュユニットである。８３１はキセノン（Ｘｅ）管、８３２，８３３はＸｅ管８３１から発せられた光を集光して、被写体に対して照射する反射笠とフレネルレンズである。
【手続補正３】
【補正対象書類名】明細書
【補正対象項目名】０００８
【補正方法】変更
【補正の内容】
【０００８】
このような一眼レフデジタルカメラにおいては、従来ファインダ光学系を介して被写体観察を行うことが一般的であったが、最近では、液晶ディスプレイ等の画像表示素子を介して被写体観察を行う機能（電子ビューファインダ機能）が要求されている。この電子ビューファインダ機能を実現するには、図１１に示す撮影時と同様に、ミラー８０２をアップ位置に配置して、シャッタ８０６を開放し、撮像素子８０７を用いて被写体画像を生成して画像表示素子８０８に表示すればよい。
【手続補正４】
【補正対象書類名】明細書
【補正対象項目名】０００９
【補正方法】変更
【補正の内容】
【０００９】
しかしながら、ミラー８０２がアップ位置に配置されている状態では、測光センサ８１０に撮影レンズ８２０からの光束を導くことができないので、測光を行うことができない。このため、電子ビューファインダを使用している状態から測光センサ８１０を用いて予備発光時の測光を行うためには、図１１の状態からミラー８０２を一旦ダウン位置に移動させて図１０の状態として予備発光および測光を行う必要がある。そして、予備発光の後は、ミラー８０２を再びアップ位置に移動させて撮像および本発光を行う。したがって、撮像が指示されてから実際の撮像を行うまでの時間（レリーズタイムラグ）が長くなってしまう。
【手続補正５】
【補正対象書類名】明細書
【補正対象項目名】００１３
【補正方法】変更
【補正の内容】
【００１３】
本発明の一側面としての撮像装置は、結像された被写体像の光電変換を行う撮像素子と、前記撮像素子を用いて得られた画像を表示する画像表示手段と、ファインダ光学系と、被写体からの光束を前記ファインダ光学系に導く第１の位置および被写体からの光束を前記撮像素子に向かわせる第２の位置に移動可能な光路切換部材と、前記撮像素子の露光量を制御するシャッタと、光路切換部材が第２の位置に配置されている際に閉じた状態のシャッタで反射された被写体からの光束を受光する第１の受光手段と、光路切換部材が第１の位置に配置されている際に被写体からの光束を受光する第２の受光手段と、光路切換部材を第２の位置に配置した状態でシャッタを開くことにより撮像素子に結像された被写体像の画像を画像表示手段に逐次表示させるとともに、被写体を照明するフラッシュユニットの発光を制御する制御手段とを有する。そして、制御手段は、画像表示手段に撮像素子に結像された被写体像の画像を逐次表示している状態においてフラッシュユニットを発光させるフラッシュ撮影を行う場合、開いた状態であったシャッタをフラッシュ撮影の前に閉じた状態にし、シャッタを閉じた状態での第１の受光手段からの出力に基づいてフラッシュユニットの発光量を設定することを特徴とする。
【手続補正６】
【補正対象書類名】明細書
【補正対象項目名】００１４
【補正方法】変更
【補正の内容】
【００１４】
また、本発明の他の側面としての撮像装置は、結像された被写体像の光電変換を行う撮像素子と、前記撮像素子を用いて得られた画像を表示する画像表示手段と、ファインダ光学系と、被写体からの光束を前記ファインダ光学系に導く第１の位置および被写体からの光束を前記撮像素子に向かわせる第２の位置に移動可能な光路切換部材と、被写体から前記撮像素子への光路上に配置され、透過率を第１の透過率と前記第１の透過率よりも低い透過率である第２の透過率とで切換可能な光学電気素子と、光路切換部材が第２の位置に配置されている際に第２の透過率にした状態の光学電気素子で反射された被写体からの光束を受光する第１の受光手段と、光路切換部材が第１の位置に配置されている際に被写体からの光束を受光する第２の受光手段と、光路切換部材を第２の位置に配置した状態で光学電気素子を第１の透過率にすることにより撮像素子に結像された被写体像の画像を画像表示手段に逐次表示させるとともに、被写体を照明するフラッシュユニットの発光を制御する制御手段とを有する。そして、制御手段は、画像表示手段に撮像素子に結像された被写体像の画像を逐次表示している状態においてフラッシュユニットを発光させるフラッシュ撮影を行う場合、第１の透過率であった光学電気素子をフラッシュ撮影の前に第２の透過率にし、光学電気素子を第２の透過率にした状態での第１の受光手段からの出力に基づいてフラッシュユニットの発光量を設定することを特徴とする。
【手続補正７】
【補正対象書類名】明細書
【補正対象項目名】００１５
【補正方法】変更
【補正の内容】
【００１５】
本発明によれば、表示手段に被写体像の画像を逐次表示している状態からフラッシュ撮像を行う場合に、撮像素子とは別の第１の受光手段を用いて測光を行い、該測光結果に基づいてフラッシュ発光量を設定することができる。このため、撮像素子を用いて測光を行う場合に比べて広い測光レンジを確保することができ、近距離被写体から遠距離被写体に対するフラッシュユニットの発光量を適切に設定することができる。
【手続補正８】
【補正対象書類名】明細書
【補正対象項目名】００２５
【補正方法】変更
【補正の内容】
【００２５】
９はフォーカルプレンシャッタであり、先幕と後幕を走行させて、後述する撮像素子１４に対する露光量を制御する。本実施例では、後述するように、ＥＶＦモードにおいて、先幕のうち被写体側の面（以下、単に先幕面という）に形成された被写体像の測光を行うため、先幕面に入射光束を拡散反射させるための処理を施している。但し、撮像時における先幕面での乱反射によるゴーストの発生を回避するよう配慮されている。
【手続補正９】
【補正対象書類名】明細書
【補正対象項目名】００３１
【補正方法】変更
【補正の内容】
【００３１】
Ａ／Ｄ変換器１６からの出力データは、画像処理回路２０およびメモリ制御回路２２を介して画像表示メモリ２４又はメモリ３０に書き込まれる。なお、Ａ／Ｄ変換器１６からの出力データが、メモリ制御回路２２から画像表示メモリ２４又はメモリ３０に書き込まれるようにしてもよい。
【手続補正１０】
【補正対象書類名】明細書
【補正対象項目名】００６２
【補正方法】変更
【補正の内容】
【００６２】
電源オン操作や電池交換等の電源投入によって、システムコントローラ５０は、フラグや制御変数等を初期化し（Ｓ１０１）、画像表示パネル２８の画像表示をＯＦＦ状態に初期設定する（Ｓ１０２）。
【手続補正１１】
【補正対象書類名】明細書
【補正対象項目名】００７２
【補正方法】変更
【補正の内容】
【００７２】
画像表示ＯＦＦの場合は、画像表示パネル２８による電子ファインダ機能を使用せず、光学ファインダを用いて撮像を行う。この場合、電力消費量の大きい画像表示パネル２８やＤ／Ａ変換器２６等での電力消費を削減することが可能となる。なお、ＥＶＦフラグの状態は、システムコントローラ５０の内部メモリ或いはメモリ５２に記憶される。
【手続補正１２】
【補正対象書類名】明細書
【補正対象項目名】０１０４
【補正方法】変更
【補正の内容】
【０１０４】
システムコントローラ５０は、内部メモリ又はメモリ５２に記憶されたＥＶＦフラグが設定状態（ＥＶＦモード）であれば（Ｓ３００）、Ｓ３０１に進む。Ｓ３０１では、システムコントローラ５０は、シャッタ制御回路４０を制御して、それまでＥＶＦモードで開いていたシャッタ９の先幕を閉じる。次に、フラッシュユニット４００がホットシュー４１０に装着され、電源４０５がオン状態か否かを判断するとともに、内部メモリ又はメモリ５２に記憶されたフラッシュフラグが設定状態か否かを判断する（Ｓ３０２）。電源４０５がオン状態で、フラッシュフラグが設定状態である場合はＳ３０３に進む。
【手続補正１３】
【補正対象書類名】明細書
【補正対象項目名】０１１２
【補正方法】変更
【補正の内容】
【０１１２】
次に、Ｓ３０４と同等に、所定の発光量でフラッシュユニット４００をプリ発光させる（Ｓ３２３）。次に、該プリ発光による被写体での反射光束を用いて、Ｓ３０３と同様に測光センサ７で被写体を測光する（Ｓ３２４）。
【手続補正１４】
【補正対象書類名】明細書
【補正対象項目名】０１３３
【補正方法】変更
【補正の内容】
【０１３３】
次に、Ｓ５０２では、システムコントローラ５０は、プリ発光の前に被写体を調光センサ１２を通じて測光する。このとき、撮影光学系３０１によって被写体像がエレクトロクロミック素子４３上に形成されており、該被写体像からの光束、すなわちエレクトロクロミック素子４３での反射光束は結像レンズ１１を通して調光センサ１２上に像を結ぶ。この像を調光センサ１２で光電変換し、所定時間積分することで、プリ発光前における定常光下での被写体の測光を行う。
【手続補正１５】
【補正対象書類名】明細書
【補正対象項目名】０１４３
【補正方法】変更
【補正の内容】
【０１４３】
また、上記各実施例では、撮影光路内のダウン位置と撮影光路外のアップ位置との間で移動可能なミラー（光路切換部材）を有するカメラについて説明したが、本発明はこのような光路切換部材を有する撮像装置に限らず適用することができる。例えば、撮影光路内において撮影光学系からの光束をファインダ光学系に反射する位置と、同じく撮影光学系からの光束を透過させて撮像素子に向かわせる位置と、撮影光路外に退避する位置とに移動可能なミラーを備えた撮像装置にも適用することができる。また、一部に反射膜が形成された透明体を、該反射膜が撮影光路上に配置される位置と、反射膜が形成されていない透光部分が撮影光路上に配置される位置とに移動させる撮像装置にも本発明を適用することが可能である。
【手続補正１６】
【補正対象書類名】図面
【補正対象項目名】図５
【補正方法】変更
【補正の内容】
【図５】
2007020125.tif 000001
【手続補正１７】
【補正対象書類名】図面
【補正対象項目名】図９
【補正方法】変更
【補正の内容】
【図９】
2007020125.tif 000002